(57)【特許請求の範囲】
【請求項１】
天井内に格納した格納位置と天井内から予め定めた位置まで降下した使用位置の各々の位置に移動可能に設けられた表示手段と、
前記表示手段を前記各々の位置へ移動する移動手段と、
台所への在室を検出する検出手段と、
火の使用を検出する火検出手段と、
警告音を発生する警告音発生手段と、
前記警告音発生手段による警告音の発生を解除設定するための警告解除手段と、
前記検出手段によって台所への在室が検出された場合に、前記表示手段が前記格納位置から前記使用位置へ移動して前記表示手段が起動するように前記移動手段及び前記表示手段を制御し、前記火検出手段によって火の使用が検出され、かつ前記検出手段によって台所への在室が検出されなくなった場合には、前記警告解除手段によって警告音の発生が解除設定されているときに前記警告音を発生せず、前記警告解除手段によって警告音の発生が解除設定されていないときに前記警告音を発生するように前記警告音発生手段を制御する制御手段と、
水又は火の使用を検出する使用検出手段と、
を備え、
前記制御手段が、前記使用検出手段によって水又は火の使用が検出された場合に、前記表示手段が予め定めた位置へ退避するように前記移動手段を更に制御する住宅用表示システム。
【請求項２】
天井内に格納した格納位置と天井内から予め定めた位置まで降下した使用位置の各々の位置に移動可能に設けられた表示手段と、
前記表示手段を前記各々の位置へ移動する移動手段と、
台所への在室を検出する検出手段と、
火の使用を検出する火検出手段と、
警告音を発生する警告音発生手段と、
前記警告音発生手段による警告音の発生を解除設定するための警告解除手段と、
前記検出手段によって台所への在室が検出された場合に、前記表示手段が前記格納位置から前記使用位置へ移動して前記表示手段が起動するように前記移動手段及び前記表示手段を制御し、前記火検出手段によって火の使用が検出され、かつ前記検出手段によって台所への在室が検出されなくなった場合には、前記警告解除手段によって警告音の発生が解除設定されているときに前記警告音を発生せず、前記警告解除手段によって警告音の発生が解除設定されていないときに前記警告音を発生するように前記警告音発生手段を制御する制御手段と、
消音可能なインターホン及び電話の少なくとも一方の機器と、
を備え、
前記制御手段が、前記表示手段の使用中に前記機器が発音した場合に、前記機器を消音するように前記機器を更に制御する住宅用表示システム。
【請求項３】
前記制御手段は、前記検出手段の検出結果に基づいて在室者を特定し、予め登録された在室者が検出された場合に、前記表示手段を前記使用位置へ移動して前記表示手段が起動するように前記移動手段及び前記表示手段を制御する請求項１又は請求項２に記載の住宅用表示システム。
【請求項４】
前記制御手段は、前記検出手段によって台所への在室が検出されなくなった場合に、前記表示手段を前記格納位置へ移動して前記表示手段の表示が停止するように前記移動手段及び前記表示手段を更に制御する請求項１〜３の何れか１項に記載の住宅用表示システム。
【請求項５】
前記表示手段は、スライド上下移動によって前記各々の位置に移動可能とされている請求項１〜４の何れか１項に記載の住宅用表示システム。
【請求項６】
前記表示手段と在室者の距離を検出する距離検出手段を更に備え、前記制御手段が、前記距離検出手段によって所定距離以上の前記距離が検出された場合に、前記表示手段に表示される文字サイズを拡大するように、前記表示手段を更に制御する請求項１〜５の何れか１項に記載の住宅用表示システム。
【請求項７】
前記検出手段によって複数人の在室が検出された場合に、前記表示手段の利用制限及び利用の優先順位を設定する設定手段を更に備え、前記制御手段が、前記設定手段の設定に応じて前記表示手段を更に制御する請求項１〜６の何れか１項に記載の住宅用表示システム。
【請求項８】
天井内に格納した格納位置と天井内から予め定めた位置まで降下した使用位置の各々の位置に移動可能に設けられた表示手段と、
前記表示手段を前記各々の位置へ移動する移動手段と、
台所への在室を検出する検出手段と、
水又は火の使用を検出する使用検出手段と、
前記検出手段によって台所への在室が検出された場合に、前記表示手段が前記格納位置から前記使用位置へ移動して前記表示手段が起動するように前記移動手段及び前記表示手段を制御する制御手段と、
を備え、
前記制御手段が、前記使用検出手段によって水又は火の使用が検出された場合に、前記表示手段が予め定めた位置へ退避するように前記移動手段を更に制御する住宅用表示システム。
【発明の詳細な説明】
【技術分野】
【０００１】
本発明は、住宅用表示システムにかかり、特に、住宅の台所等に設け、住宅に関わる各種情報を表示する住宅用表示システムに関する。
【背景技術】
【０００２】
特許文献１には、レシピやテレビを見ながら調理することができるようにしたシステムキッチンが提案されている。詳細には、特許文献１に記載の技術では、モニタを備えたシステムキッチンにおいて、吊戸棚の扉またはカウンターにモニタを収納する収納スペースを設け、モニタをその収納スペースに引き出しおよび収納可能に配設して、収納されたモニタの表示面が位置する扉またはカウンターの部分に透明部材を備えた窓を形成している。これによって、収納部材を必要とせず、省スペースでモニタを収納することができ、収納された状態でモニタの表示面を見ることができると共に、引き出して見やすい位置にモニタを移動させることができる。
【先行技術文献】
【特許文献】
【０００３】
【特許文献１】特開２００５−２７０３３７号公報
【発明の概要】
【発明が解決しようとする課題】
【０００４】
しかしながら、特許文献１に記載の技術では、モニタの起動時の操作を行う際には、収納スペースから引き出してから、モニタの起動操作を行う必要があり、起動時の操作性に関して改善の余地がある。
【０００５】
また、特許文献１に記載の技術では、モニタ位置を手動で移動しない限り、不在時と在室時とで同じ位置にモニタが位置することになるが、モニタの望ましい位置としては不在時に収納して在室時に操作可能な位置にする等のように異なる位置が望ましいと考えられ、モニタの位置調整に関して改善の余地がある。
【０００６】
本発明は、上記事実を考慮して成されたもので、表示手段の使い勝手を向上することを目的とする。
【課題を解決するための手段】
【０００７】
上記目的を達成するために請求項１に記載の発明は、  天井内に格納した格納位置と天井内から予め定めた位置まで降下した使用位置の各々の位置に移動可能に設けられた表示手段と、前記表示手段を前記各々の位置へ移動する移動手段と、台所への在室を検出する検出手段と、火の使用を検出する火検出手段と、警告音を発生する警告音発生手段と、前記警告音発生手段による警告音の発生を解除設定するための警告解除手段と、前記検出手段によって台所への在室が検出された場合に、前記表示手段が前記格納位置から前記使用位置へ移動して前記表示手段が起動するように前記移動手段及び前記表示手段を制御し、前記火検出手段によって火の使用が検出され、かつ前記検出手段によって台所への在室が検出されなくなった場合には、前記警告解除手段によって警告音の発生が解除設定されているときに前記警告音を発生せず、前記警告解除手段によって警告音の発生が解除設定されていないときに前記警告音を発生するように前記警告音発生手段を制御する制御手段と、水又は火の使用を検出する使用検出手段と、を備え、前記制御手段が、前記使用検出手段によって水又は火の使用が検出された場合に、前記表示手段が予め定めた位置へ退避するように前記移動手段を更に制御することを特徴としている。
【０００８】
請求項１に記載の発明によれば、表示手段は、天井内に格納した格納位置と天井内から予め定めた位置まで降下した使用位置の各々の位置に移動可能に設けられており、移動手段によって各々の位置に移動される。
【０００９】
検出手段では、台所への在室が検出される。そして、制御手段では、検出手段によって台所への在室が検出された場合に、表示手段が格納位置から使用位置へ移動して表示手段が起動するように移動手段及び表示手段が制御される。すなわち、台所へ行くことにより、表示手段が使用位置まで移動して起動されるので、利便的に表示手段を使用することができる。従って、表示手段の使い勝手を向上することができる。
【００１０】
なお、制御手段は、検出手段の検出結果に基づいて在室者を特定し、予め登録された在室者が検出された場合に、表示手段が使用位置へ移動して表示手段が起動するように移動手段及び表示手段を制御するようにしてもよい。
【００１１】
また、制御手段は、検出手段によって台所への在室が検出されなくなった場合に、表示手段が格納位置へ移動して表示手段の表示が停止するように移動手段及び表示手段を更に制御するようにしてもよい。
【００１２】
また、表示手段は、スライド上下移動によって各々の位置に移動可能とした構成を適用するようにしてもよい。
【００１３】
また、本発明は、水又は火の使用を検出する使用検出手段を更に備えて、制御手段が、使用検出手段によって水又は火の使用が検出された場合に、表示手段が予め定めた位置へ退避するように移動手段を更に制御する。なお、表示手段が予め定めた位置としては、格納位置へ移動するようにしてもよいし、使用位置よりも天井に近い他の位置に移動するようにしてもよい。
【００１４】
また、表示手段と在室者の距離を検出する距離検出手段を更に備えて、制御手段が、距離検出手段によって所定距離以上の距離が検出された場合に、表示手段に表示される文字サイズを拡大するように、表示手段を更に制御するようにしてもよい。
【００１５】
また、本発明は、天井内に格納した格納位置と天井内から予め定めた位置まで降下した使用位置の各々の位置に移動可能に設けられた表示手段と、前記表示手段を前記各々の位置へ移動する移動手段と、台所への在室を検出する検出手段と、火の使用を検出する火検出手段と、警告音を発生する警告音発生手段と、前記警告音発生手段による警告音の発生を解除設定するための警告解除手段と、前記検出手段によって台所への在室が検出された場合に、前記表示手段が前記格納位置から前記使用位置へ移動して前記表示手段が起動するように前記移動手段及び前記表示手段を制御し、前記火検出手段によって火の使用が検出され、かつ前記検出手段によって台所への在室が検出されなくなった場合には、前記警告解除手段によって警告音の発生が解除設定されているときに前記警告音を発生せず、前記警告解除手段によって警告音の発生が解除設定されていないときに前記警告音を発生するように前記警告音発生手段を制御する制御手段と、消音可能なインターホン及び電話の少なくとも一方の機器を備えて、制御手段が、表示手段の使用中に機器が発音した場合に、機器を消音するように機器を更に制御するようにしてもよい。
【００１６】
一方、火検出手段は、火の使用を検出し、警告音発生手段は、警告音を発生し、警告解除手段は、警告音発生手段による警告音の発生を解除する。そして、制御手段が、火検出手段によって火の使用が検出され、かつ検出手段によって台所への在室が検出されなくなった場合には、警告解除手段によって警告音の発生が解除設定されているときに警告音を発生せず、警告解除手段によって警告音の発生が解除設定されていないときに警告音を発生するように警告音発生手段を制御する。
【００１７】
さらに、検出手段によって複数人の在室が検出された場合に、表示手段の利用制限及び利用の優先順を設定する設定手段を更に備えて、制御手段が、設定手段の設定に応じて表示手段を更に制御するようにしてもよい。
なお、本発明は、天井内に格納した格納位置と天井内から予め定めた位置まで降下した使用位置の各々の位置に移動可能に設けられた表示手段と、前記表示手段を前記各々の位置へ移動する移動手段と、台所への在室を検出する検出手段と、水又は火の使用を検出する使用検出手段と、前記検出手段によって台所への在室が検出された場合に、前記表示手段が前記格納位置から前記使用位置へ移動して前記表示手段が起動するように前記移動手段及び前記表示手段を制御する制御手段と、を備え、前記制御手段が、前記使用検出手段によって水又は火の使用が検出された場合に、前記表示手段が予め定めた位置へ退避するように前記移動手段を更に制御するようにしてもよい。
【発明の効果】
【００１８】
以上説明したように本発明によれば、台所への在室が検出された場合に表示手段が使用位置に移動して起動されるので、表示手段の使い勝手を向上することができる、という効果がある。
【図面の簡単な説明】
【００１９】
【図１】本発明の実施の形態に係わる住宅用表示システムのモニタの配置例を示す図である。
【図２】本発明の実施の形態に係わる住宅用表示システムの概略構成を示すブロック図である。
【図３】本発明の実施の形態に係わる住宅用表示システムのコンピュータで行われる処理の流れの一例を示すフローチャートである。
【図４】操作に対応する処理の一例を示すフローチャートである。
【発明を実施するための形態】
【００２０】
以下、図面を参照して本発明の実施の形態の一例を詳細に説明する。図１は、本発明の実施の形態に係わる住宅用表示システムのモニタの配置例を示す図であり、図２は、本発明の実施の形態に係わる住宅用表示システムの概略構成を示すブロック図である。
【００２１】
本発明の実施の形態に係わる住宅用表示システム１０は、住宅に備えた電気機器に関する情報や、住宅の各種情報、テレビ等を表示するためのモニタ２６を備えている。なお、モニタ２６に表示される内容としては、例えば、住宅内のエネルギ使用量（日別、月間、年間等）、料理レシピ、料理カロリや塩分、糖分、油分等の管理内容（家族の健康状態管理）、ニュース、音楽等の各種情報が表示される。なお、モニタ２６に表示される内容としては、これらに限るものではない。
【００２２】
モニタ２６は、図１矢印Ｘ方向に移動可能とされて、台所３０の天井５０に格納可能に設けられており、格納位置（図１の点線位置）と使用位置（図１の実線位置）の各々の位置に移動可能とされている。なお、格納位置と使用位置とへの移動する方法としては、種々の方法を適用することができ、例えば、アンテナ状に収縮可能な部材をモニタ２６に接続して、当該部材をモータ等のアクチュエータによって駆動することにより、格納位置と使用位置の各々の位置へ移動することができる。
【００２３】
また、台所３０の流し台５２付近の床５４には、台所３０への在室を検出するための荷重センサ３６が設けられており、本実施の形態に係わる住宅用表示システム１０では、荷重センサ３６の検出結果に基づいて台所３０への在室が検出されると、モニタ２６が格納位置から使用位置へ移動され、不在が検出されると、格納位置へモニタ２６が格納されるようになっている。
【００２４】
住宅用表示システム１０は、詳細には、図２に示すように、ＣＰＵ１４、ＲＯＭ１６、ＲＡＭ１８、メモリ２０、及び入出力ポート２２がそれぞれバス２４に接続されたコンピュータ１２を備えている。なお、図２では、コンピュータ１２はモニタ２６とは別に示すが、モニタ２６内にコンピュータ１２の構成を備えるようにしてもよいし、モニタ２６とコンピュータ１２は別の構成としてそれぞれ異なる位置に設けるようにしてもよい。
【００２５】
入出力ポート２２には、上述のモニタ２６が接続されていると共に、モニタ２６を格納位置と使用位置の各々の位置へ移動するモニタ移動モータ３２を駆動するためのモータドライバ２８、及び荷重センサ３６が接続されている。すなわち、荷重センサ３６の検出結果に基づいて、コンピュータ１２がモータドライバ２８を制御することにより、モニタ移動モータ３２を駆動してモニタ２６を各々の位置に移動させる。また、モニタ２６は、タッチパネル等の操作部を備えており、表示する情報の選択や、住宅に備えた各種電気機器の操作指示等が可能とされていると共に、スピーカを備えて、警告音の発生や、各種情報を報知するための音声を出力可能とされている。
【００２６】
また、入出力ポート２２には、水滴センサ３４、着火センサ３８、インターホン４０、電話４２、施錠装置４４、各種電気機器４６、及び人感センサ４８等が接続されている。
【００２７】
水滴センサ３４は、流し台や水道の蛇口付近等に設けられ、水滴を検出することにより、水の使用を検出し、検出結果をコンピュータ１２に出力する。なお、本実施の形態では、水滴センサ３４を用いた例を説明するが、水滴センサ３４の代わりに、蛇口にスイッチ等を設けて水道の使用を検出するようにしてもよい。
【００２８】
荷重センサ３６は、上述したように、台所３０の流し台５２付近の床５４に設けられており、床に加わる荷重を検出し、検出結果をコンピュータ１２に出力する。
【００２９】
着火センサ３８は、ガスレンジ付近に設けられ、火の使用を検出し、検出結果をコンピュータ１２に出力する。
【００３０】
インターホン４０及び電話４２は、外部から消音可能に構成されており、コンピュータ１２からの指示によって呼び出し音が消音可能とされている。本実施の形態では、モニタ２６から音声が発生されている場合に、インターホン４０や電話４２の呼び出し音が発音されたときには、インターホン４０や電話４２の読み出し音をコンピュータ１２の指示によって消音する。なお、本実施の形態では、インターホン４０及び電話４２を共に消音するが、少なくとも一方を備えて、少なくとも一方を消音するようにしてもよい。
【００３１】
施錠装置４４は、玄関等の施錠や解錠を制御し、施錠装置４４による施錠状態をモニタ２６に表示可能とされている。すなわち、モニタ２６により住宅の施錠状態を確認することができるようになっている。
【００３２】
各種電気機器４６は、例えば、住宅内の各部屋の照明や、テレビ等の電気機器を適用することができ、コンピュータ１２からの指示によって電源のオンオフ等の制御が可能とされている。
【００３３】
人感センサ４８は、住宅内の各部屋や玄関等に設けられ、人の存在を検出して、検出結果をコンピュータ１２に出力し、コンピュータ１２は、人感センサ４８に基づいて、施錠装置４４の施錠状態を監視して、不在で施錠されていない場合に施錠したり、各種電気機器４６をオフしたり等の制御を行う。また、セキュリティシステム等を備える場合には、人感センサ４８によって住人の不在が検出された場合に、セキュリティシステムを起動する等の処理を行うようにしてもよい。
【００３４】
ここで、上述のように構成された本発明の実施の形態に係わる住宅用表示システム１０の主な機能について説明する。
【００３５】
本実施の形態に係わる住宅用表示システム１０では、上述したように、荷重センサ３６によって検出された荷重に基づいて台所３０への在室が検出され、在室が検出されると、モータドライバ２８を制御してモニタ移動モータ３２を駆動して、モニタ２６を天井内の格納から使用位置に移動する。一方、荷重センサの検出結果に基づいて離室が検出された場合には、モータドライバ２８を制御してモニタ移動モータ３２を駆動して、モニタ２６を天井内の格納位置に移動する。
【００３６】
また、住宅用表示システム１０は、水滴センサ３４の検出結果に基づいて、水の使用を検出し、水の使用が検出されると、モータドライバ２８を制御してモニタ移動モータ３２を駆動して、モニタ２６を天井内に格納する。なお、格納位置まで移動せずに、パネルが濡れない位置に回避するようにしてもよい。
【００３７】
また、着火センサ３８及び荷重センサ３６の検出結果に基づいて、在室中の火の使用を検出し、火をつけた状態で部屋を離れたことが検出された場合には、警告音を発生する機能も備えている。
【００３８】
また、モニタ２６が使用されているとき（例えば、音声等が出力されているとき）に、インターホン４０や電話４２が発音された場合には、これを検出して、インターホン４０や電話４２を制御して消音する機能も備えている。
【００３９】
また、荷重センサ３６の検出結果に基づいて、モニタ２６からの操作者の距離を検出して、所定距離以上離れた場合に、モニタ２６の表示する文字の大きさを拡大し、所定距離未満になった場合に元の大きさに戻す文字サイズ変更機能も備えている。
【００４０】
さらに、モニタ２６を操作する人が複数人存在する場合には、利用制限や優先順位を予め設定しておくことにより、利用制限や優先順位に従って操作を許可する機能を備えている。具体的には、荷重センサ３６によって個人を特定するために、各個人毎の荷重センサ３６の検出結果を予め登録する。すなわち、荷重センサ３６の検出結果から足の大きさや体重を検出することができるので、これらの情報と共に各個人の情報を予め登録しておくことにより、荷重センサ３６の検出結果に基づいて、利用者を特定して、利用制限された人物や優先順位が低い人物が検出された場合には、モニタ２６の利用を制限する等の処理が可能となる。
【００４１】
これらの機能は、住宅制御プログラムとしてＲＯＭ１６に予めインストールされており、住宅制御プログラムをＣＰＵ１４が実行することにより実現される。
【００４２】
続いて、上述のように構成された本発明の実施の形態に係わる住宅用表示システム１０で行われる具体的な処理の流れについて詳細に説明する。図３は、本発明の実施の形態に係わる住宅用表示システム１０のコンピュータ１２で行われる処理の流れの一例を示すフローチャートである。なお、図３の処理は、荷重センサ３６によって荷重が検出されたときに開始されるものとして説明する。
【００４３】
ステップ１００では、在室者が特定されてステップ１０２へ移行する。すなわち、荷重センサ３６の検出結果から足の大きさや体重を特定して、予め登録された人物の中から在室者を特定する。なお、本実施の形態では、荷重センサ３６は流し台付近の床に設けられているので、流し台付近の在室者を特定する。
【００４４】
ステップ１０２では、登録されている人物であるか否かが判定される。該判定は、ステップ１００の在室者の特定よって予め登録されている人物が特定されたか否かを判定し、該判定が否定された場合にはステップ１００に戻って上述の処理が繰り返され、判定が肯定された場合にはステップ１０４へ移行する。
【００４５】
ステップ１０４では、モニタ２６が使用位置に移動されると共に、起動されてステップ１０６へ移行する。すなわち、モータドライバ２８を制御することによってモニタ移動モータ３２を駆動して天井５０内からモニタ２６を使用位置へ移行すると共に、モニタ２６の起動を行う。なお、このとき、利用者の身長等に応じてモニタ２６の位置を予め定めておき、特定された人物に応じてモニタ２６を降下させる高さを変化するようにしてもよい。これによって見やすい高さにモニタ２６を移動することができる。
【００４６】
ステップ１０６では、モニタ２６への操作が行われたか否かが判定される。該判定は、モニタ２６のタッチパネル等の操作部が操作されたか否かを判定し、該判定が肯定された場合にはステップ１０８へ移行し、否定された場合にはステップ１１０へ移行する。
【００４７】
ステップ１０８では、操作に対応する処理が行われてステップ１１０へ移行する。ここで、図４を参照して、操作に対応する処理について説明する。図４は、操作に対応する処理の一例を示すフローチャートである。
【００４８】
ステップ２００では、操作に対応する項目が表示されると共に、対応する処理が実行されてステップ２０２へ移行する。例えば、レシピの表示や、テレビの表示、施錠装置４４による施錠状態の表示、制御可能な電気機器４６に対する操作画面の表示等が操作に対応する項目として表示され、各表示内容に対して操作が行われた場合に対応する処理を行う。
【００４９】
ステップ２０２では、他の人の操作があるか否かが判定される。該判定は、荷重センサ３６の検出結果に基づいて、モニタ２６付近の人物が特定され、特定された人物が前回の操作と異なる人物であるか否かを判定し、該判定が肯定された場合にはステップ２０４へ移行し、否定された場合にはそのまま当該処理をリターンして、図３のステップ１１０へ移行する。
【００５０】
ステップ２０４では、操作優先順位が確認されてステップ２０６へ移行する。すなわち、予め設定されている操作の優先順位が確認される。
【００５１】
ステップ２０６では、モニタ２６を操作した人物が優先であるか否かが判定される。該判定は、優先順位を確認した結果から操作した人の優先順位が高い、或いは操作した人物が前回と同じ場合に判定が肯定されてステップ２０８へ移行し、それ以外の場合には判定が否定されてステップ２１０へ移行する。
【００５２】
ステップ２０８では、新たな操作に対応する項目が表示されると共に、対応する処理が実行されて、当該処理をリターンして、図３のステップ１１０へ移行する。
【００５３】
ステップ２１０では、操作優先順位が低い旨がモニタ２６に表示され、操作に対応する処理が行われずに、当該処理をリターンして、図３のステップ１１０へ移行する。
【００５４】
次に、上述の操作に対応する処理が行われてステップ１１０へ移行すると、操作者が移動したか否かが判定される。該判定は、荷重センサ３６によって荷重の移動を検出したか否かを判定し該判定が肯定された場合にはステップ１１２へ移行し、否定された場合にはステップ１３０へ移行する。
【００５５】
ステップ１１２では、着火中か否かが判定される。該判定は着火センサ３８によって火の使用が検出されているか否かが判定され、該判定が肯定された場合にはステップ１２２へ移行し、否定された場合にはステップ１１４へ移行する。
【００５６】
ステップ１１４では、在室者がモニタ２６から所定距離以上離れたか否かが判定され、該判定が肯定された場合にはステップ１１６へ移行し、否定された場合にはステップ１００に戻って上述の処理が繰り返される。なお、所定距離は、文字サイズを拡大する必要がある距離として予め設定可能としてもよい。
【００５７】
ステップ１１６では、モニタ２６に表示される文字の文字サイズが拡大されてステップ１１８へ移行する。すなわち、モニタ２６から離れると、モニタ２６に表示される文字の大きさが拡大されるので、モニタ２６から離れても文字が見難くなることを防止することができる。
【００５８】
ステップ１１８では、在室者が所定距離範囲内に戻ったか否かが判定され、該判定が肯定されるまで待機してステップ１２０へ移行する。
【００５９】
ステップ１２０では、モニタ２６に表示される文字のサイズが元の大きさに戻されてステップ１００に戻って上述の処理が繰り返される。なお、本実施の形態では、説明を簡単するために、在室者が所定距離以上離れて文字サイズを拡大した後に、所定距離範囲内に戻ったところで文字サイズを元のサイズにするまでを一つの動作としてステップ１１８の判定が肯定されるまで待機する構成として説明したが、これに限るものでなく、例えば、文字サイズを拡大した後に、ステップ１００に戻って他の処理を行って、モニタ２６から所定距離範囲内に近づいたところで文字サイズを元の大きさに戻す構成としてもよい。
【００６０】
一方、着火中と判定されステップ１２２へ移行すると、所定時間以上離室したか否かが判定される。該判定は、荷重センサ３６によって荷重が検出されない時間が所定時間以上経過したか否かを判定し該判定が肯定された場合にはステップ１２４へ移行し、否定された場合にはステップ１４２へ移行する。なお、当該判定は、人感センサ４８の検出結果に基づいて、判定するようにしてもよい。
【００６１】
ステップ１２４では、警告音解除設定がされているか否かが判定される。該判定は、火をつけたまま火から離れた場合に警告を行う設定を解除する設定が予め行われているか否かを判定する。すなわち、とろ火で調理する場合には、警告が煩わしいので、モニタ２６を操作して警告解除を予め設定することを可能とし、当該設定が行われているか否かを判定する。該判定が否定された場合にはステップ１２６へ移行し、肯定された場合にはステップ１４２へ移行する。
【００６２】
ステップ１２６では、警告音が発生されてステップ１２８へ移行する。すなわち、火をつけたまま所定時間以上荷重センサ３６によって荷重が検出されない領域に離れた場合には、警告を行うことにより、注意を促すことができる。
【００６３】
ステップ１２８では、警告音停止が指示されたか否かが判定される。該判定は、例えば、モニタ２６が操作されて警告音の停止指示が行われたか否かを判定し、該判定が肯定されるまで待機してステップ１４２へ移行する。
【００６４】
一方、ステップ１３０では、水を使用中か否かが判定される。該判定は、水滴センサ３４によって水滴を検出したか否かを判定し、該判定が肯定された場合には水をしていると判断してステップ１３２へ移行し、否定された場合にはステップ１３８へ移行する。なお、当該ステップは、この形態に限られるものではなく、例えば、水を一定時間流したか否かを蛇口等に設けたスイッチ等に基づいて判定するようにしてもよい。
【００６５】
ステップ１３２では、モニタ２６が格納位置へ移動されてステップ１３４へ移行する。すなわち、水が使用されている場合にはモニタ２６が濡れないようにモニタ２６を退避させるために、モータドライバ２８が制御されてモニタ移動モータ３２が駆動され、天井５０内の格納位置へモニタ２６が移動される。なお、格納位置まで移動せずに、予め定めた濡れない位置までモニタ２６を上昇させるようにしてもよい。
【００６６】
ステップ１３４では、水使用が終了したか否かが判定される。該判定は、水滴センサ３４によって水滴が検出されなくなったか否かが判定され、該判定が肯定されるまで待機してステップ１３６へ移行する。
【００６７】
ステップ１３６では、モニタ２６が使用位置に移動、すなわち、元の使用位置に戻されてステップ１４２へ移行する。なお、本実施の形態では、説明を簡単にするために、モニタ２６を退避させて、元の位置に戻すまでを一つの動作としてステップ１３４の判定が肯定されるまで待機する構成として説明したが、これに限るものではなく、例えば、モニタ２６を退避させてからステップ１００に戻って他の処理を行って、水の使用が検出されなくなったところでモニタ２６を元の位置に戻す構成としてもよいし、水の使用が終了してから所定時間経過してから使用位置へ移動する構成としてもよい。所定時間経過してから使用位置へ移動する場合には、一時的に水の使用をやめて、再度、使用する際に、無駄なモニタ２６の移動を防止することができ、当該移動に伴う電力の消費を防止することができる。
【００６８】
また、ステップ１３８では、モニタ２６から音声が発生されているときにインターホン４０や電話４２の呼び出し音が発音されたか否かが判定され、該判定が肯定された場合にはステップ１４０へ移行し、否定された場合にはステップ１４２へ移行する。
【００６９】
ステップ１４０では、インターホン４０や電話４２の呼び出し音が消音されてステップ１４２へ移行する。すなわち、本実施の形態では、モニタ２６から音声が発生されているときに、インターホン４０や電話４２が発音された場合には、モニタ２６の音声が優先され、インターホン４０や電話４２が消音される。
【００７０】
そして、ステップ１４２では、離室したか否かが判定される。該判定は、荷重センサ３６によって荷重が検出されなくなったか否かを判定し、該判定が否定された場合にはステップ１００に戻って上述の処理が繰り返され、肯定された場合にはステップ１４４へ移行する。
【００７１】
ステップ１４４では、モニタ２６が停止されて天井５０内に格納されて一連の処理を終了する。すなわち、モータドライバ２８が制御されてモニタ移動モータ３２が駆動されて、モニタ２６が天井５０内の格納位置に移動される。
【００７２】
このように、本実施の形態では、台所への在室が検出されると、モニタ２６が格納位置から使用位置まで移動されると共に、起動され、台所から離れるとモニタ２６が停止されて格納位置に格納されるので、モニタ２６の使い勝手を向上することができる。
【００７３】
また、水を使用したときには、モニタ２６が濡れないように退避されるので、モニタ２６の水濡れによる故障を防止することができる。
【００７４】
また、所定距離以上モニタ２６から離れた場合には文字サイズが拡大されるので、さらなる使い勝手の向上が可能となる。
【００７５】
また、モニタ２６の使用中（例えば、音声が出力されているとき）にインターホン４０や電話４２の呼び出し音が発音された場合には、インターホン４０や電話４２の呼び出し音が消音されるので、モニタ２６からの音声等を聞き逃すことがなくなり、使い勝手が向上する。
【００７６】
さらには、火をつけたまま台所３０を離れた場合には、警告するので、火事を防止することもできる。
【００７７】
なお、上記の実施の形態では、台所３０への在室を荷重センサ３６で検出するようにしたが、これに限るものではなく、人感センサ４８によって台所３０への在室を検出するようにしてもよし、カメラ等を用いて台所３０への在室を検出するようにしてもよい。またあ、カメラを用いる場合には、画像処理等によって在室者を特定することもでき、不審者の特定も可能となる。
【００７８】
また、上記の実施の形態では、モニタ２６を使用しているときに、インターホン４０や電話４２の呼び出し音が発音された場合に、インターホン４０や電話４２を消音するようにしたが、当該処理は在宅者がいる場合に行われることが好ましい。他に在宅者がいない場合には、モニタ２６を消音する構成としてもよいし、モニタ２６、インターホン４０、電話４２の何れを消音するかの設定を可能として、設定に応じて消音を行うようにしてもよい。
【００７９】
また、上記の実施の形態では、水を使用している時に、モニタ２６を退避するように制御するようにしたが、これに限るものではなく、例えば、着火センサ３８によって火の使用を検出した場合にも、モニタ２６を退避するように制御するようにしてもよいし、水及び火の少なくとも一方の使用を検出した場合に、モニタ２６を退避するように制御するようにしてもよい。
【００８０】
また、上記の実施の形態において、モニタ２６を格納する場合には、格納速度を、例えば、図３のステップ１３２とステップ１４４とで異なるようにしてもよい。例えば、水が飛び跳ねて機器が濡れて故障になる恐れがあるため、ステップ１３２における格納速度をステップ１４４における格納速度より速く設定してもよい。また、ステップ１３２における格納速度を可変としてもよい。この場合には、水滴センサ３４をモニタ２６付近に設けて、水滴センサ３４が段階的に感知するようにしてもよい。段階的に感知する場合には、一定の基準値よりも高くなった場合の段階でステップ１３２における格納速度を加速するように可変としてもよい。
【符号の説明】
【００８１】
１０    住宅用表示システム
１２    コンピュータ
２６    モニタ
２８    モータドライバ
３０    台所
３２    モニタ移動モータ
３４    水滴センサ
３６    荷重センサ
３８    着火センサ
４０    インターホン
４２    電話
５０    天井
【図１】
0005844051.tif 000002
【図２】
0005844051.tif 000003
【図３】
0005844051.tif 000004
【図４】
0005844051.tif 000005